(57)【特許請求の範囲】
【請求項１】
両側に曲折して形成された側部フレームを有するベースフレームと、
前記ベースフレームのカードが挿入される側と反対の端側に有し、複数本のコンタクトピンを整列固定するコネクタ本体と、
前記コネクタ本体により整列固定された複数本のコンタクトピンに対する貫通穴を有し、前記貫通穴に前記コンタクトピンを通した状態で移動自在であり、且つ幅方向の中央部に引掛部を有するシャッター部材と、
一端が前記シャッター部材の引掛部に係合し、他端が前記ベースフレームの側部フレームに位置する回転アームを有し、
前記カードを前記コネクタ本体から抜き出す際に、前記回転アームの前記他端に前記コネクタ本体方向に押し力を与え、前記回転アームの前記シャッター部材の引掛部に係合する一端により前記シャッター部材の中央部に前記シャッター部材を介して前記カードを抜き出す方向の力を付与するイジェクト機構を有し、
さらに、前記シャッター部材の移動を前記カードが挿入される前はロックし、適合するカードの挿入に連動して、前記ロックを解除して前記カードのコンタクトと前記コンタクトピンとの接続を許容するシャッターロック機構を有し、
前記シャッターロック機構が、前記ベースフレームの両側部フレームの少なくとも一方の側部フレームの切片リードにより形成されている、
ことを特徴とするカード用コネクタ。
【請求項２】
請求項１において、
前記回転アームは、前記ベースフレームのカードが挿入される面側と反対面側に軸支され、
前記シャッター部材に引掛部が形成され、前記ベースフレームの幅方向のほぼ中央に開口が設けられ、前記開口から出る前記シャッター部材の引掛部に、前記回転アームの前記一端が係合する、
ことを特徴とするカード用コネクタ。
【請求項３】
請求項１又は２において、
さらに、前記側部フレームに備えられたスライド可能のプッシュバーを有し、
前記プッシュバーの先端部が前記回転アームの前記他端に係合し、前記挿入されたカードのコンタクトと前記コンタクトピンが接続されている状態で、前記カードを引き抜く際に、前記プッシュバーにより前記回転アームの一端に押し圧を与え、前記回転アームの他端に反対方向に押し圧を与え、前記シャッター部材を介して前記カードに引き抜く方向の力を付与する
ように構成されたことを特徴とするカード用コネクタ。
【請求項４】
請求項１乃至３にいずれかにおいて、
さらに、前記シャッター部材の移動を前記カードが挿入される前はロックし、適合するカードの挿入に連動して、前記ロックを解除して前記カードのコンタクトと前記コンタクトピンとの接続を許容するシャッターロック機構を有し、
前記シャッターロック機構が、前記ベースフレームの両側部フレームの少なくとも一方の側部フレームの切片リードにより形成されている、
ことを特徴とするカード用コネクタ。
【発明の詳細な説明】
【技術分野】
【０００１】
本発明は，カード用コネクタに係り，特にカードのイジェクト機構に特徴を有するカード用コネクタに関する。
【背景技術】
【０００２】
近年，カード形式のメモリデバイスを利用して電子装置の外部記憶装置として利用するシステムが広く普及している。かかるカード形式のメモリデバイスを電子装置と接続するためにはこれに対応したコネクタが必須である。
【０００３】
そして，カード形式のメモリデバイス用のコネクタ（以下，カード用コネクタという）は，多くの種類，形式が開発され，紹介されている。(例えば，特許文献１参照)。
【０００４】
特許文献１に記載されたカード用コネクタは，挿入されたカードの側面が抑圧機構により抑圧保持される構成である。しかし，このコネクタでは，外部から衝撃が加えられると，カードホルダに挿入されたカードが飛び出してしまう恐れがあった。そのためカードが挿入されるカード挿入口を閉塞するシャッターを設け，このシャッタを閉じることによりカードの飛び出しを防止している。したがって，この種のコネクタでは，コネクタとは別にシャッターを設けなければならないので，小型化することが難しく，且つ部品点数が増大して製造コストが高騰してしまうという欠点がある。
【０００５】
この欠点に鑑みて，シャッターを不要としたコネクタも知られている。(例えば，特許文献２参照)。
【０００６】
特許文献２に記載されたカード用コネクタは，カードが挿入される挿入部を形成するハウジングと，ハウジングの内部に形成され，カードの端子に接触するように挿入方向に延在形成された接触端子（コンタクトピン）と，カードが挿入部に挿入されて所定装着位置付近に至ったとき，カードの側面凹部に係合してカードを装着位置にロックするロック機構とを備えた構成からなっている。
【０００７】
かかるコネクタの構造によると，ハウジングの装着位置に挿入されたカードの脱落及び引き抜きを防止でき，且つ，ハウジングの装着位置に到達した時点でカードをロックできるので，カードが挿入される過程でカードに負荷がかからず，挿入操作がスムーズに行えると共に，カードがロック機構によって損傷することを防止でき，特別にシャッター機構を付設する必要がないものとなっている。
【０００８】
また，カード用コネクタからカードを取り外す際は，通常，カードの端部を指で摘んで引き抜かれているが，コンタクトの接触が強固な場合は容易に引き抜けず，またカードの挿入口も狭い場所でもあることから引き抜きが容易でない。この点に鑑み，カードの排出を容易にしたイジェクト機構を一体にして設けたコネクタも知られている。(例えば，特許文献３参照)。
【０００９】
特許文献３に記載されたカード用コネクタは，ハウジングの一側部にカム部材を有するイジェクト機構を設け，ハウジングの他側部にカム部材により排出されるカードの直線状側縁に係合し，カードの排出方向への移動を規制する弾性係合部材を設けた構成からなっている。この構成によると，カム部材を有するイジェクト機構により収容されたカードを排出する際に，カードの落下が防止できると共に，カードを手にとって容易に取り出すことができる。
【００１０】
ところが，各種カード，例えばコンパクトフラッシュ（ＣＦ）（登録商標）カード，スマートメディアカード，メモリースティック，及びＰＣカード等は，一部のカードにおいて規格化されたものも存在しているが，これらカードを全て統一化した規格が未だ存在していない。そのため，各種カードは，それぞれ寸法，形状が異なっており，これに伴って，カード用コネクタもそれぞれのカードに適合する構造となっている。
【００１１】
その結果，電子装置の利用者が，小型のカードを大型のカード用挿入口に誤って挿入してしまうことがある。そして適合しないカードが挿入口に無理に押し込まれると，コネクタの接触ピンが変形し，或は破損しまうことがある。また，同じ大きさの挿入口においても，カードが逆差し，或は表裏逆さまにして挿入されることがあり，この逆差等によっても同様の破損等が起こってしまう恐れがある。更に，コネクタの接触ピンに塵や，埃が付着し易く，接触不良等を起す恐れもある。
【００１２】
また，上記特許文献１に記載されたコネクタでは，挿入されたカードを確実に保持することができず，カード挿入口にカードが飛び出すことを防止するためにはシャッターを設ける必要があり，このシャッターはコネクタとは別に設けなければならない。
【００１３】
また，上記特許文献２に記載されたコネクタは，シャッターを設けることなく，ロック機構を付設して，ハウジングの装着位置に挿入されたカードの脱落及び引き抜きを防止できるようになっているが，いずれも電子装置等に設置した場合に発生する上記課題を解決できるものではない。さらに，上記特許文献３に記載のコネクタによっても，解決されない。
【００１４】
かかる点を解決するために，本出願人により，サイズの異なるカードが誤挿入されても接触ピンが曲がったり，損傷したりしないようにした防止機構を備えたカード用コネクタを提供すること，及び挿入されたカードを容易に排出するためのイジェクト機構を備えたカード用コネクタを提供することを目的とする発明を提案している（特許文献４）。
【００１５】
かかる特許文献４に記載の本出願人により先に提案したカード用コネクタ（先願コネクタという）の構造を図１により概括して説明する。
【００１６】
図１は，イジェクト機構を付設したカード用コネクタであって、図１(Ａ)は平面図、(Ｂ)は正面図、図１(Ｃ)は左側面図である。
【００１７】
カード用コネクタは，複数のコンタクトピン２１ｂを有している。図１において，コネクタにＣＦ（コンパクトフラッシュ（登録商標））カードが挿入されると，ＣＦ（コンパクトフラッシュ（登録商標））カードの端子（コンタクト）と対応する複数のコンタクトピン２１ｂとが物理的接触により電気的に接続された状態となる。
【００１８】
挿入されたカードの抜き出しを容易にするためのイジェクト機構は、図１において，フレームベース２１の一面側に装着された回転アーム２２と，この回転アーム２に連結されたプッシュバー２３を有し，このプッシュバー２３の操作によりカードをコネクタのコンタクトピン２１ｂとカードのコンタクトの物理的接触を開放する。これによりカードの取り出しが可能となる。
【００１９】
フレームベース２１は、コネクタの上面を覆うことができるようにほぼ四角形の大きさの金属板からなり、対向する両側端が折曲されて、折曲片により両側部フレームが形成されている。
【００２０】
プッシュバー２３が側部フレームの長手方向にスライド可能に複数の係止片で固定されている。
【００２１】
プッシュバー２３は、一端に結合部２３ａ，２３ｂが設けられ、この結合部２３ａ，２３ｂでと結合されている。また、このプッシュバー２３の他端には、外部へ突出するようにしてイジエクト釦２４が設けられ、このイジェクト釦２４を外部から押すことによりプッシュバー２３を介して、回転アーム２２を作動させるように構成されている。
【００２２】
回転アーム２２は、ほぼ弓状をなした板片からなり、前記一端２２ａと反対側の端部２２ｂにほぼ直角に折曲された垂下片２２ｃが形成されている。この垂下片２２ｃがフレームベース１の開口２１ａから突き出て，シャッター部材２４と挿入されたカードの端辺との間で，カードの端辺の端部に位置づけられ，カードに対する押出し部として機能する（図１（Ｂ），参照）。
【００２３】
シャッター部材２４は，後の説明によってより明確になるが，カード挿入前は，コンタクトピン２１ｂの先端部を貫通穴２４ａにより保護し，カード挿入過程によりカードと伴に，奥の方に移動して貫通穴２４ａよりコンタクトピン２１ｂの先端部を露出させる。これにより，カードのコンタクトと，カード用コネクタのコンタクトピン２１ｂとの物理的接触を可能にする。
【００２４】
回転アーム２２は、それ自身の中央部から少し垂下片２２ｃに近い位置でフレームベース２１の幅の略中央位置で軸支ピン２２ｄにより軸支されている。この軸支により、イジェクト釦２４を押すと、プッシュバー２３を介して、回転アーム２２の梃子作用により垂下片２２ｃが，挿入されているカードの端辺の端部に当接し、イジェクト釦４に太矢印の方向に与える力よりも大きい力で，太矢印で示す反対方向に，垂下片２２ｃに押し下げ力を与える。これによりカードを排出できるようになる。
【００２５】
ここで，先に提案したカード用コネクタにおけるイジェクト機構では，回転アーム２２が，フレームベース２１の幅におけるほぼ中心位置で，軸支ピン２２ｄにより軸支されている。
【００２６】
したがって，垂下片２２ｃの位置は，フレームベース２１の幅における中心からずれている。これにより，カード端辺に当接する位置も，カードの中心からずれた位置とならざるを得ない。
【００２７】
一方，近年種々の形態のカードが開発，利用されている。図２にカードの一形態例を示す。この図２に示されるカード４０は，ＣＦカードの形態を有し，より小さいＳＤカード等の小型カードをＣＦカード用コネクタに接続するための変換カードである。
【００２８】
変換カード４０は，ＣＦカード用のコネクタのコンタクトピン２１ｂと接続するためのコンタクト４０ａと小型カード４１のコンタクト４１ａと接続するための内部コンタクトピン４０ｂを有している。コンタクト４０ａと内部コンタクトピン４０ｂはカード４０内で電気的に接続されている。
【００２９】
さらに，ＣＦカード自体の内蔵電子回路の代わりに，小型カード４１が組入れられるスペース１０ｃを有している。小型のカード４１がこのスペース４０ｃに挿入されると，小型カード４１のコンタクト４１ａと内部コンタクトピン４０ｂが物理的接触により電気的に接続される。
【００３０】
これにより，小型のカード４１の挿入されたＣＦカード４０のコンタクト４０ａをＣＦカード用のコネクタのコンタクトピン２１ｂに接続することにより，小型のカード４１をＣＦカード用コネクタに接続することができる。
【特許文献１】特開2000-251024号公報(図1，第3頁右欄)
【特許文献２】特開2003-86296号公報(図2，段落[0015]〜[0021］)
【特許文献３】特開平11-26084号公報(図1，段落[0019]〜[0020]30)
【特許文献４】特開2005-116240号公報
【発明の開示】
【発明が解決しようとする課題】
【００３１】
ここで，ＣＦカード用コネクタは，ＣＦカードの両側辺を両側部フレームにより案内してＣＦカードのコンタクトとコネクタのコンタクトピンの接続を容易とする構造を有している。
【００３２】
ＣＦカードをＣＦ用コネクタから抜き出す際は，図１に示したように垂下片２２ｃによりカード端辺の端部に押出し力を与え，両側部フレームによりＣＦカードの両側辺を案内する。これによりＣＦカードをＣＦ用コネクタから抜き出すことが容易である。
【００３３】
しかるに，図２に示すような変換カード４０の形態では，小型のカード４１を差し込むスペース４０ｃの形成のために，変換カード４０の両側辺４０ｄが変形されている。一方，図１に示したように垂下片２２ｃの位置が中央にはない。したがって，垂下片２２ｃによる押出し力は，カードの端辺の中央からずれた位置に与えられる。
【００３４】
これらの関係から，ＣＦ用コネクタの両側部フレームに沿って変換カード４０を抜き出す際に，変換カード４０が傾き，ＣＦ用コネクタの両側部フレームが変換カード４０の両側辺４０ｄを，円滑に案内することが難しくなるという問題が生じる。
【００３５】
したがって，本発明の目的は，かかる問題を解消し，挿入されたカードの形態にかかわらず，抜き出しを円滑に出来る抜き出し構造を有するカード用コネクタを提供することにある。
【課題を解決するための手段】
【００３６】
上記の課題を達成する本発明の第１の側面は，カード用コネクタであって，両側に曲折して形成された側部フレームを有するベースフレームと，前記ベースフレームのカードが挿入される側と反対の端側に有し，複数本のコンタクトピンを整列固定するコネクタ本体と，前記コネクタ本体により整列固定された複数本のコンタクトピンに対する貫通穴を有し，前記貫通穴に前記コンタクトピンを通した状態で移動自在のシャッター部材と，一端が前記シャッター部材の中央位置に有り，他端が前記ベースフレームの側部フレームに位置する回転アームを有し，前記カードを抜き出す際に，前記回転アームの前記他端に前記コネクタ本体方向に押し力を与え，前記回転アームの前記一端により前記シャッター部材の中央位置に前記シャッター部材を介して前記カードを抜き出す方向の力を付与するイジェクト機構を有することを特徴とする。
【００３７】
上記の課題を達成する本発明の特徴として，前記第１の側面において，前記回転アームは，前記ベースフレームのカードが挿入される面側と反対面側に軸支され，前記シャッター部材に引掛部が形成され，前記ベースフレームの幅方向のほぼ中央に開口が設けられ，前記開口から出る前記シャッター部材の引掛部に，前記回転アームの前記一端が係合するように構成出来る。
【００３８】
また，上記の課題を達成する本発明の特徴として，前記側面において，さらに，前記側部フレームに備えられたスライド可能のプッシュバーを有し，前記プッシュバーの先端部が前記回転アームの前記他端に係合し，前記挿入されたカードのコンタクトと前記コンタクトピンが接続されている状態で，前記カードを引き抜く際に，前記プッシュバーにより前記回転アームの一端に押し圧を与え，前記回転アームの他端に反対方向に押し圧を与え，前記シャッター部材を介して前記カードに引き抜く方向の力を付与するように構成出来る。
【００３９】
さらにまた，上記の課題を達成する本発明の特徴として，前記各側面のいずれかににおいて，前記シャッター部材の移動を前記カードが挿入される前はロックし，適合するカードの挿入に連動して，前記ロックを解除して前記カードのコンタクトと前記コンタクトピンとの接続を許容するシャッターロック機構を有し，前記シャッターロック機構が，前記ベースフレームの両側部フレームの少なくとも一方の側部フレームの切片リードにより形成されるようにしてもよい。
【発明の効果】
【００４０】
本発明において，イジェクト機構として回転アームによりシャッター部材のほぼ中央部に抜き出しのための力を与えるので，変換カードのように，側辺が変形されたカード形態であっても，カード抜き出し過程で，カードに傾きを与えることがない。これにより，フレームベースの両側に形成された両側部フレームに沿ってムーズに抜き出しを可能とすることが出来る。
【発明を実施するための最良の形態】
【００４１】
以下に図面に従い，本発明の実施の形態例を説明する。なお，実施の形態例は，本発明の理解のために示されるものであり，本発明の適用がこれに限定されるものではない。
【００４２】
図３は，本発明に従うカード用コネクタの一実施の形態例を示す図である。図３において，（Ａ）は平面図であり，（Ｂ）は正面図である。さらに，（Ｃ），（Ｄ）は，左右側面図である。
【００４３】
図４は，図３と反対側の面を示す図である。図４において，（Ａ）は，カードが挿入されていない状態，これに対し（Ｂ）は，カードが挿入された状態を示す図である。
【００４４】
本発明に従うカード用コネクタ１は，金属板のベースフレーム１ａを有している。図４に示すように，ベースフレーム１ａの両側部にコ字状に曲折して形成される両側部フレーム１ｄを有する。この両側部フレーム１ｄのコ字状の曲折部により，挿入されるカードを抱えるように保持することが可能である。
【００４５】
ベースフレーム１ａのカードが挿入される側辺と反対の辺側に複数本のコンタクトピン１ｂを整列固定する樹脂等の絶縁ブロックにより構成されるコネクタ本体１ｃを有している。さらに，前記コネクタ本体１ｃに整列固定された複数のコンタクトピン１ｂの先端部を覆い外部から保護するシャッター部材１ｅを有している。
【００４６】
図４（Ａ）に示すように，カード２０の挿入前は，シャッター部材１ｅによりコンタクトピン１ｂの先端部を覆い保護している。
【００４７】
図３（Ｂ）から理解できるように，シャッター部材１ｅは，複数のコンタクトピン１ｂのそれぞれに対応した貫通穴１０を有している。そして，カード２０が挿入されていないときは，図４（Ａ）に示すように，シャッター部材１ｅは，コネクタ本体１ｃとシャッター部材１ｅとの間に介在するコイルスプリング１ｆのバネ圧により，コンタクトピン１ｂの先端部に位置付けられる。この状態で，コンタクトピン１ｂの先端部が保護される。
【００４８】
カード２０が挿入されるときは，図４（Ｂ）に示すように，コイルスプリング１ｆのバネ圧に抗してカード２０の端部によりシャッター部材１ｅが，コネクタ本体１ｃ側に押し込まれる。これにより，コンタクトピン１ｂの先端部が，シャッター部材１ｅの貫通穴１０を突き抜けて，カード２０側に有するコンタクトに挿入され，コンタクトピン１ｂとカード２０のコンタクト間の電気的接続が可能となる。
【００４９】
なお，図４（Ｂ）は，理解容易化のため，コンタクトピン１ｃの先端部がカード側のコンタクトに挿入接続された状態を透視状に図示している。
【００５０】
かかる構成を，更にベースフレーム１ａ及び両側部フレーム１ｄを取り除いた状態で示す図５，図６により説明し，本発明の更なる理解の助けとする。
【００５１】
図５は，カード２０がコンタクトピン１ｂに接続前の状態を示す図である。図５（Ａ）は，ベースフレーム１ａ及び両側部フレーム１ｄを取り除いた状態の斜視図，図５（Ｂ）は，Ａ−Ｂ線に沿うコネクタ本体１ｃ部分の断面図である。
【００５２】
カード２０が非挿入のときは，シャッター部材１ｅが，コネクタ本体１ｃとの間に有るコイルスプリング１ｆにより押し出されて，コネクタ本体１ｃにより整列固定されているコンタクトピン１ｂの先端部を貫通穴１０に収容する状態とされる。これにより，コンタクトピン１ｂの先端部が保護される。
【００５３】
カード２０は，回路部品収容部２０ａと，それに繋がる雌状のコンタクト２０ｂを有している。カード２０が図２に示したように，変形カードである場合は，内部のコンタクトピン４０ｂと接続される，雌状のコンタクト２０ｂと同様のコンタクト４０を有している。
【００５４】
ここで，図３，図４に戻り，シャッター部材１ｅのロック機構について考察する。すなわち，図５（Ｂ）に示すように，カード２０（又は，変換カード４０）が非挿入の状態において，シャッター部材１ｅが，コイルスプリング１ｆによりコンタクトピン１ｂの先端部を貫通穴１０に収容する状態とされている。
【００５５】
このとき，シャッター部材１ｅにコイルスプリング１ｆのバネ圧に抗して押し圧が与えられた際に，容易にコンタクトピン１ｂの先端部が露出する場合にはコンタクトピン１ｂの保護は期待できない。
【００５６】
このために，先に本出願人が先願（特許文献４）により提案した発明では，コネクタ本体の両側壁に一対の側部フレームを着脱自在に装着し，且つロック機構をこの一対の側部フレームに設けた構造である。そして，ロック機構は，カードの装着によって変形して前記シャッター部材との係合が解除され，反対にカードの取り外しによって前記シャッター部材との係合状態に復帰するロック用ばね部材で構成している。
【００５７】
かかる構造は，先に説明したように，コネクタ本体の両側壁に一対の側部フレームを設けることにより，コネクタ本体の幅を大きくすることが避けられないものである。さらに，側部フレームにロック用ばね部材を取り付けるものであり，構造が複雑となることが避けられない。
【００５８】
本発明の適用例として示す図３，４の構成では，特徴として，図３に示されるように，ベースフレーム１ａの両側部フレーム１ｄに形成された切片リード２によりロック機構とするものである。
【００５９】
すなわち，両側部フレーム１ｄの少なくとも一方側，図３に示す例では，左側の側部フレーム１ｄに切片リード２が形成されている。
【００６０】
この切片リード２は，側部フレーム１ｄをプレス成形する際に同時に形成可能である。したがって，切片リード２の一端が側部フレーム１ｄに繋がり，他端が自由端とされることにより，側部フレーム１ｄ自体の剛性により，バネ性が与えられる。
【００６１】
さらに，切片リード２は，図７にその断面図を示すように，中間部と先端部にそれぞれ突部２ａ，２ｂを有するように折り曲げ成型されている。
【００６２】
図７（Ａ）は，カード２０が非挿入の状態を示し，図７（Ｂ）は，カード用コネクタにカード２０の挿入時及び，抜き出し時の状態を示している。
【００６３】
図７（Ａ）において，先に説明したように，カード２０の非挿入時は，シャッター部材１ｅが，コイルスプリング１ｆにより，コンタクトピン１ｂの先端部を保護する位置にある（図５（Ｂ）参照）。
【００６４】
このとき，図７（Ａ）に示すように，切片リード２のバネ性により側部フレーム１ｄの内側方向（図７（Ａ）の右方向）に戻る力が生じているので，切片リード２の先端部の突部２ｂと，シャッター部材１ｅの側部に形成されている引掛部１ｇとが係合する。
【００６５】
これにより，シャッター部材１ｅに押し圧を加えても，シャッター部材１ｅのコンタクトピン１ｂの先端部を保護した状態（図５（Ｂ））が維持される。
【００６６】
一方，図７（Ｂ）に示すように，カード２０が挿入される状態を想定すると，カード２０の先端側部により切片リード２の中間部の突部２ａに対し外方に押し出す力が与えられる。
【００６７】
これにより，切片リード２が変形して先端部の突部２ｂのシャッター部材１ｅの引掛部１ｇとの係合が外れる。ついで，カード２０は，更にカード用コネクタ１内に挿入可能となる。
【００６８】
図６は，カード用コネクタ１内にカード２０（又は，変換カード４０）が完全に挿入され，カード２０がコンタクトピン１ｂに接続された状態を示す図である。図６（Ａ）は，ベースフレーム１ａ及び両側部フレーム１ｄを取り除いた状態の斜視図，図６（Ｂ）は，Ａ−Ｂ線に沿うコネクタ本体１ｃ部分の断面図である。
【００６９】
カード２０の挿入により，シャッター部材１ｅは，コイルスプリング１ｆのバネ力に抗してコネクタ本体１ｃ側に押し戻される。これにより，コンタクトピン１ｂの先端部はシャッター部材１ｅの貫通穴１０から露出し，カード２０の雌状のコンタクト２０ｂ内に挿入され，カード２０の回路部品収容部２０ａ内の回路と電気的に接続された状態とされる。
【００７０】
図７（Ｂ）において，カード２０のコンタクトがカード用コネクタから抜き出されるときは，カード２０の側部と切片リード２の中間部２ａの突部との接触が開放され，切片リード２は，バネ性により図７（Ａ）の状態に復帰する。このとき，シャッター部材１ｅは，コイルスプリング１ｆにより押し出され，これによりシャッター部材１ｅの側部の引掛部１ｇと切片リード２の先端部２ｂの突部とが再び係合し，図７（Ａ）の状態に維持される。
【００７１】
ここで，カード２０（又は，変換カード４０）の雌状のコンタクト２０ｂ（又は，４０ａ）とコンタクトピン１ｂの先端部が接続された状態において，カード２０（変換カード４０）をカード用コネクタから抜き出す際は，コンタクト２０ｂ（４０ａ）とコンタクトピン１ｂのバネ性による物理的接触圧に抗して抜き出し力を与えるイジェクト機構が必要である。
【００７２】
本発明は，図１に説明した先願発明におけるイジェクト機構の問題を解決するものであり，以下に本発明に従うイジェクト機構を，上記したシャッター部材１ｅのロック機構を伴う実施の形態例において以下に説明する。
【００７３】
図３に戻ると，ベースフレーム１ａの，カード２０（変換カード４０）の保持する側と反対側面に，支持軸３ａを中心に回転可能の回転アーム３が設けられている。
【００７４】
一方，図５に示すように，シャッター部材１ｅを構成する樹脂ブロックの上面に一体に取り付けられた金属板１１ａの中央部に引掛部１１ｂを備えている。
【００７５】
この引掛部１１ｂは，シャッター部材１ｅの構成に対応して種々形態が可能である。
【００７６】
図８は，シャッター部材１ｅを構成する樹脂ブロックの中央部に突部１２を形成し，これにより引掛部１１ｂと同様の機能を果たす構成例である。
【００７７】
また，図９は，図５ではシャッター部材１ｅの樹脂ブロックの上面に一体に金属板１１ａを取り付け，引掛部１１ｂを形成しているのに対し，樹脂ブロックの側面に金属板１３ａを取り付け，その中央部に折り曲げ部により引掛部１３ｂを形成する構成である。
【００７８】
いずれの実施例でも，引掛部は，シャッター部材１ｅのほぼ中央部に形成されている。
【００７９】
図３に戻り，シャッター部材１ｅに形成された引掛部１１ｂ（図８の実施例では突部１２，図９の実施例では引掛部１３ｂ）が，ベースフレーム１aの幅方向の中央部に形成した開口１４からベースフレーム１aの反対面に出るよう配置される。
【００８０】
したがって，回転アーム３の一端側３ｂが引掛部１１ｂに係合している。さらに，回転アーム３の他端側３ｃが，両側部フレーム１ｄの一方側にスライド可能に複数の係止め爪により保持されているプッシュバー３１の先端部の係止部３１ａ，３１ｂと係合している。さらに，プッシュバー３１の先端にイジェクト釦３０を有している。
【００８１】
いま，カード２０（又は，変換カード４０）がカード用コネクタ１に挿入された状態で，イジェクト釦３０により図２のコンタクトピン１ｂの方向にプッシュバー３１を押すと，プッシュバー３１と回転アーム３の係合により，回転アーム３の他端側３ｃが支持軸３ａを中心に，上向きの太矢印方向に押し上げられる。これにより，回転アーム３の一端側３ｂが支持軸３ａを中心に，下向きの太矢印方向に押し下げられる。
【００８２】
この回転アーム３の一端側３ｂは，シャッター部材１ｅの樹脂ブロックに一体に取り付けられた金属板１１ａの中央部の引掛部１１ｂと係合しているので，シャッター部材１ｅの中央部に，梃子の作用により，コネクタ本体１ｃと反対方向に容易に押し出す力を与える。
【００８３】
これにより，カード２０（又は，変換カード４０）のコンタクト２０ｂ（４０ａ）とコンタクトピン１ｂの先端部との接続が外れ，容易にカード２０（又は，）を摘んで抜き出すことが出来る。
【００８４】
この際，本発明に従いイジェクト機構は，回転アーム３によりシャッター部材１ｅのほぼ中央部に抜き出しのための力を与えるので，変換カード４０のように，側辺が変形されたカード形態であっても，スムーズに抜き出しを可能とすることが出来る。
【図面の簡単な説明】
【００８５】
【図１】イジェクト機構を付設したカード用コネクタであって、図１(Ａ)は平面図、(Ｂ)は正面図、図１(Ｃ)は左側面図である。
【図２】カードの一形態例を示す図である。
【図３】本発明に従うカード用コネクタの一実施の形態例を示す図である。カ
【図４】図３と反対側の面を示す図である。
【図５】ベースフレーム１ａ及び両側部フレーム１ｄを取り除いた状態で示す，カード２０がコンタクトピン１ｂに接続前の状態を示す図である。
【図６】ベースフレーム１ａ及び両側部フレーム１ｄを取り除いた状態で示す，カード２０がコンタクトピン１ｂに接続された状態を示す図である。
【図７】切片リード２の断面を示す図である。
【図８】シャッター部材１ｅの他の構成例を示す図である。
【図９】シャッター部材１ｅの更に他の構成例を示す図である。
【符号の説明】
【００８６】
１  カード用コネクタ
１ａ  ベースフレーム
１ｂ  コンタクトピン
１ｃ  コネクタ本体
１ｄ  両側部フレーム
１ｅ  シャッター部材
１１ｂ，１２，１３ｂ  シャッター部材の引掛部
２  切片リード
２ａ  切片リードの中間部
２ｃ  切片リードの先端部
３  回転アーム
３ａ  支持軸
１０  シャッター部材の貫通穴
２０  カード
４０  変換カード
３０  イジェクト釦
３１  プッシュバー
【図１】
0004689452.tif 000002
【図２】
0004689452.tif 000003
【図３】
0004689452.tif 000004
【図４】
0004689452.tif 000005
【図５】
0004689452.tif 000006
【図６】
0004689452.tif 000007
【図７】
0004689452.tif 000008
【図８】
0004689452.tif 000009
【図９】
0004689452.tif 000010